(57)【要約】【課題】通信経路の異なる複数の無線信号を受信して良好な出力信号を得る。【解決手段】所定データ量の情報信号に同期信号を付加して無線信号として送信する。この無線信号を受信する受信部３０ａ,３０ｂを設ける。受信部３０ａ,３０ｂのＲＦ処理部３０１ａ,３０１ｂは、受信した無線信号の通信品質を検出して通信品質情報ＱＬa,ＱＬbを生成する。同期検出保持制御部３０３ａ,３０３ｂは、同期信号を検出して、この同期信号の検出結果に基づき情報信号をメモリ部３０４ａ,３０４ｂに保持させる。また、同期タイミング信号ＴＳa,ＴＳbを生成する。選択処理部４０１は、同期タイミング信号ＴＳa,ＴＳbに基づき、メモリ部３０４ａ,３０４ｂに保持された情報信号を同期して読み出す。通信品質情報ＱＬa,ＱＬbに基づき、通信品質が良好と判別した受信部のメモリ部から読み出した情報信号を信号選択部４０２から出力させる。【選択図】        図４
2005333391.tif 000002
【特許請求の範囲】
【請求項１】
情報信号を分割して同期信号を付加することにより伝送単位とされた信号に基づく無線信号を送信する送信装置と、
前記無線信号を受信する複数の受信手段と、
前記複数の受信手段で前記無線信号を受信して得られた前記情報信号から、いずれかの情報信号を選択して出力する出力制御手段を有する受信装置を備え、
前記受信手段は、
受信した前記無線信号の通信品質を検出する通信品質検出手段と、
前記情報信号を保持する保持手段と、
受信した前記無線信号から前記同期信号を検出して、該同期信号の検出結果に基づき前記情報信号を前記保持手段に保持させる同期検出保持制御手段を有し、
前記出力制御手段は、前記複数の受信手段で同期信号が検出されたのち、前記複数の受信手段に保持されている情報信号を同期させて読み出すものとし、前記複数の受信手段の通信品質検出結果に基づき通信品質が良好な受信手段を選択して、該選択した受信手段から読み出した情報信号を出力させる
ことを特徴とする無線通信システム。
【請求項２】
前記保持手段は、少なくとも前記複数の受信手段で受信される無線信号についての通信経路の違いによる時間差分の情報信号を順次保持する
ことを特徴とする請求項１記載の無線通信システム。
【請求項３】
前記保持手段は、前記通信品質検出手段での通信品質の検出に要する時間分の情報信号を更に保持する
ことを特徴とする請求項２記載の無線通信システム。
【請求項４】
前記出力制御手段は、前記複数の受信手段で同期信号が検出されたのち、少なくとも前記通信品質の検出に要する時間経過後に前記情報信号の読み出しを開始する
ことを特徴とする請求項３記載の無線通信システム。
【請求項５】
前記通信品質検出手段は、前記通信品質として前記無線信号の受信信号強度を検出する
ことを特徴とする請求項１記載の無線通信システム。
【請求項６】
前記通信品質検出手段は、前記通信品質として前記無線信号の誤り率を検出する
ことを特徴とする請求項１記載の無線通信システム。
【請求項７】
前記出力制御手段は、前記通信品質検出結果に基づいて選択される受信手段が切り替えられたとき、該受信手段の切り換えを行った伝送単位の期間中は、切り換え前の受信手段の選択を禁止する
ことを特徴とする請求項１記載の無線通信システム。
【請求項８】
前記保持手段は、前記情報信号と、該情報信号を受信したときの前記通信品質検出結果を対として保持するものとし、
前記出力制御手段は、前記複数の受信手段に保持されている通信品質検出結果を同期させて読み出すことで通信品質が良好な受信手段を選択し、該選択した受信手段から読み出した前記通信品質検出結果と対とされている情報信号を出力する
ことを特徴とする請求項１記載の無線通信システム。
【請求項９】
前記出力制御手段は、前記複数の受信手段における同期信号の検出結果に基づき、前記複数の受信手段で受信される無線信号についての通信経路の違いによる時間差を判別し、該時間差に基づいて前記通信品質検出結果を遅延させて前記複数の受信手段の通信品質検出結果を同期させる時間差補正処理を行う
ことを特徴とする請求項１記載の無線通信システム。
【請求項１０】
前記受信手段は、前記通信品質検出手段での通信品質の検出に要する時間分だけ、前記保持手段に保持される情報信号と、前記同期検出保持制御手段で前記同期信号の検出に用いる信号を遅延させる遅延手段を有する
ことを特徴とする請求項１記載の無線通信システム。
【請求項１１】
前記送信装置は、前記無線信号を１つの送信手段から送信し、あるいは複数の送信手段から重複して送信する
ことを特徴とする請求項１記載の無線通信システム。
【請求項１２】
情報信号を分割して同期信号を付加することにより伝送単位とされた信号に基づく無線信号を受信する複数の受信手段と、
前記複数の受信手段で前記無線信号を受信して得られた前記情報信号から、いずれかの情報信号を選択して出力する出力制御手段を備え、
前記受信手段は、
受信した前記無線信号の通信品質を検出する通信品質検出手段と、
前記情報信号を保持する保持手段と、
受信した前記無線信号から前記同期信号を検出して、該同期信号の検出結果に基づき前記情報信号を前記保持手段に保持させる同期検出保持制御手段を有し、
前記出力制御手段は、前記複数の受信手段で同期信号が検出されたのち、前記複数の受信手段に保持されている情報信号を同期させて読み出すものとし、前記複数の受信手段の通信品質検出結果に基づき通信品質が良好な受信手段を選択して、該選択した受信手段から読み出した情報信号を出力させる
ことを特徴とする受信装置。
【請求項１３】
前記保持手段は、少なくとも前記複数の受信手段で受信される無線信号についての通信経路の違いによる時間差分の情報信号を順次保持する
ことを特徴とする請求項１２記載の受信装置。
【請求項１４】
前記保持手段は、前記通信品質検出手段での通信品質の検出に要する時間分の情報信号を更に保持する
ことを特徴とする請求項１３記載の受信装置。
【請求項１５】
前記出力制御手段は、前記複数の受信手段で同期信号が検出されたのち、少なくとも前記通信品質の検出に要する時間経過後に前記情報信号の読み出しを開始する
ことを特徴とする請求項１４記載の受信装置。
【請求項１６】
前記通信品質検出手段は、前記通信品質として前記無線信号の受信信号強度を検出する
ことを特徴とする請求項１２記載の受信装置。
【請求項１７】
前記通信品質検出手段は、前記通信品質として前記無線信号の誤り率を検出する
ことを特徴とする請求項１２記載の受信装置。
【請求項１８】
前記出力制御手段は、前記通信品質検出結果に基づいて選択される受信手段が切り替えられたとき、該受信手段の切り換えを行った伝送単位の期間中は、切り換え前の受信手段の選択を禁止する
ことを特徴とする請求項１２記載の受信装置。
【請求項１９】
前記保持手段は、前記情報信号と、該情報信号を受信したときの前記通信品質検出結果を対として保持するものとし、
前記出力制御手段は、前記複数の受信手段に保持されている通信品質検出結果を同期させて読み出すことで通信品質が良好な受信手段を選択し、該選択した受信手段から読み出した前記通信品質検出結果と対とされている情報信号を出力する
ことを特徴とする請求項１２記載の受信装置。
【請求項２０】
前記出力制御手段は、前記複数の受信手段における同期信号の検出結果に基づき、前記複数の受信手段で受信される無線信号についての通信経路の違いによる時間差を判別し、該時間差に基づいて前記通信品質検出結果を遅延させて前記複数の受信手段の通信品質検出結果を同期させる時間差補正処理を行う
ことを特徴とする請求項１２記載の受信装置。
【請求項２１】
前記受信手段は、前記通信品質検出手段での通信品質の検出に要する時間分だけ、前記保持手段に保持される情報信号と、前記同期検出保持制御手段で前記同期信号の検出に用いる信号を遅延させる遅延手段を有する
ことを特徴とする請求項１２記載の受信装置。
【請求項２２】
情報信号を分割して同期信号を付加することにより伝送単位とされた信号に基づく無線信号を複数の受信手段で受信する受信方法において、
受信した前記無線信号の通信品質を検出する通信品質検出工程と、
受信した前記無線信号から前記同期信号を検出して、該同期信号の検出結果に基づき前記情報信号を保持させる同期検出保持制御工程と、
前記複数の受信手段で同期信号が検出されたのち、前記複数の受信手段に保持されている情報信号を同期させて読み出すものとし、前記複数の受信手段の通信品質検出結果に基づき通信品質が良好な受信手段を選択して、該選択した受信手段から読み出した情報信号を出力する出力制御工程を有する
ことを特徴とする受信方法。
【請求項２３】
前記同期検出保持制御工程では、少なくとも前記複数の受信手段で受信される無線信号についての通信経路の違いによる時間差分の情報信号を順次保持させる
ことを特徴とする請求項２２記載の受信方法。
【請求項２４】
前記同期検出保持制御工程では、前記通信品質検出手段での通信品質の検出に要する時間分の情報信号を更に保持させる
ことを特徴とする請求項２３記載の受信方法。
【請求項２５】
前記出力制御工程では、前記複数の受信手段で同期信号が検出されたのち、少なくとも前記通信品質の検出に要する時間経過後に前記情報信号の読み出しを開始する
ことを特徴とする請求項２４記載の受信方法。
【請求項２６】
前記通信品質検出工程では、前記通信品質として前記無線信号の受信信号強度を検出する
ことを特徴とする請求項２２記載の受信方法。
【請求項２７】
前記通信品質検出工程では、前記通信品質として前記無線信号の誤り率を検出する
ことを特徴とする請求項２２記載の受信方法。
【請求項２８】
前記出力制御工程では、前記通信品質検出結果に基づいて選択される受信手段が切り替えられたとき、該受信手段の切り換えを行った伝送単位の期間中は、切り換え前の受信手段の選択を禁止する
ことを特徴とする請求項２２記載の受信方法。
【請求項２９】
前記同期検出保持制御工程では、前記情報信号と、該情報信号を受信したときの前記通信品質検出結果を対として保持させるものとし、
前記出力制御工程では、前記複数の受信手段に保持されている通信品質検出結果を同期させて読み出すことで通信品質が良好な受信手段を選択し、該選択した受信手段から読み出した前記通信品質検出結果と対とされている情報信号を出力する
ことを特徴とする請求項２２記載の受信方法。
【請求項３０】
前記出力制御工程では、前記複数の受信手段における同期信号の検出結果に基づき、前記複数の受信手段で受信される無線信号についての通信経路の違いによる時間差を判別し、該時間差に基づいて前記通信品質検出結果を遅延させて前記複数の受信手段の通信品質検出結果を同期させる時間差補正処理を行う
ことを特徴とする請求項２２記載の受信方法。
【請求項３１】
前記通信品質検出工程での通信品質の検出に要する時間分だけ、前記同期検出保持制御工程で保持させる情報信号と、前記同期検出保持制御工程で前記同期信号の検出に用いる信号を遅延させる遅延工程を設けた
ことを特徴とする請求項２２記載の受信方法。
【発明の詳細な説明】
【技術分野】
【０００１】
この発明は、無線通信システムと受信装置と受信方法に関する。詳しくは、情報信号を分割して同期信号を付加することにより伝送単位とされた信号に基づく無線信号を複数の受信手段で受信して、得られた情報信号を各受信手段で保持させる。この保持されている情報信号を同期させて読み出すものとして、無線通信の通信品質が良好な受信手段を選択して、選択した受信手段から読み出された情報信号を出力するものである。
【背景技術】
【０００２】
近年の映像表示システムでは、映像の表示機能を独立させることでシステム構成の自由度を高めることが行われている。例えば、プラズマ表示パネルあるいは液晶表示パネル等の表示素子を用いて構成された種々の映像表示装置と、チューナ機能や記録媒体再生機能等を有した映像信号出力装置を個々に設けて、ユーザの希望する映像表示装置と映像信号出力装置を接続することで、映像表示システムを自由に構成できる。
【０００３】
しかし、映像表示装置と映像信号出力装置を独立して設けると、装置間をケーブルで接続しなければならず装置のレイアウトが制限されてしまう。また、ケーブルが露出してしまい見栄えも良くない。このため、映像信号出力装置と映像表示装置間で無線信号を用いて超高精細映像や高品位の動映像を伝送することが行われる。
【０００４】
ここで、無線信号を用いて超高精細映像や高品位の動映像等を伝送する場合、非常に高い伝送速度が必要とされることから、ミリ波のように高い周波数帯が使用される。このように高い周波数帯を用いて通信を行う場合、電波の直進性が強く、また少ない送信電力でも効率よく通信を行うことができるように利得の高いアンテナが用いられるので、電波の回折や反射を利用した通信を行うことができない。例えば、無線通信システムは、図９のように、送信信号生成部６０で生成された情報信号を送信部６５のアンテナから無線信号として送信し、この無線信号を受信部７０のアンテナで受信して、得られた情報信号を情報信号処理部７５で処理する。このように構成された無線通信システムにおいて、無線信号の通信経路に人物９０等が入り込むと、無線信号が遮蔽されて通信が途絶えてしまう。また、電波が遮蔽されてしまうことのないように送信部６５と受信部７０を設置するものとした場合、送信部６５や受信部７０の設置場所が限られてしまい、例えば天井近くに送信部６５や受信部７０を設置しなければならなくなってしまう。
【０００５】
このため、図１０に示すように、送信部６５と受信部７０の対を複数設けるものとして、何れかの通信経路で無線信号が遮蔽されても他の通信経路を利用することにより、通信が途切れてしまうことを防止できる。このように複数の通信経路を用いる方法として、例えば複数の送信アンテナを用いたアンテナダイバーシチによる無線システムが特許文献１に開示されている。
【０００６】
【特許文献１】特開２００１−４４９００号公報
【発明の開示】
【発明が解決しようとする課題】
【０００７】
ところで、通信経路を複数設ける場合、各通信経路における経路長は、通信装置の設置状況によって異なるものとなる。このため、ミリ波のように高い周波数帯を用いて無線通信を行うと、経路長の差によって生じる無線信号の時間差を無視することができなくなり、複数の受信装置で得られた情報信号を信号切替部７２で切り換えただけでは、正しい情報信号を情報信号処理部７５に供給することができない。
【０００８】
例えば、経路長の差によって生じる信号の時間差が、送信信号の１ビット期間（あるいは１シンボル期間）を超えるとき、複数の受信部で得られた信号を単に切り換えると、ビット（あるいはシンボル）の欠落や重複が生じてしまい、正しい情報信号を情報信号処理部７５に供給できない。また、人の移動のようにゆっくりとした動作によって無線信号が遮蔽されるような場合、遮蔽の開始時や終了時に通信品質が頻繁に変化することがあるため、正しい情報信号が得られるように信号の切り換えを行う必要もある。
【０００９】
そこで、この発明では、通信経路が異なる複数の無線信号を受信して、良好な出力信号を得ることができる無線通信システムと受信装置と受信方法を提供するものである。
【課題を解決するための手段】
【００１０】
この発明における無線通信システムは、情報信号を分割して同期信号を付加することにより伝送単位とされた信号に基づく無線信号を送信する送信装置と、無線信号を受信する複数の受信手段と、複数の受信手段で無線信号を受信して得られた情報信号から、いずれかの情報信号を選択して出力する出力制御手段を有する受信装置を備え、受信手段は、受信した無線信号の通信品質を検出する通信品質検出手段と、情報信号を保持する保持手段と、受信した無線信号から同期信号を検出して、該同期信号の検出結果に基づき情報信号を保持手段に保持させる同期検出保持制御手段を有し、出力制御手段は、複数の受信手段で同期信号が検出されたのち、複数の受信手段に保持されている情報信号を同期させて読み出すものとし、複数の受信手段の通信品質検出結果に基づき通信品質が良好な受信手段を選択して、該選択した受信手段から読み出した情報信号を出力させるものである。
【００１１】
この発明に係る受信装置は、情報信号を分割して同期信号を付加することにより伝送単位とされた信号に基づく無線信号を受信する複数の受信手段と、複数の受信手段で無線信号を受信して得られた情報信号から、いずれかの情報信号を選択して出力する出力制御手段を備え、受信手段は、受信した無線信号の通信品質を検出する通信品質検出手段と、情報信号を保持する保持手段と、受信した無線信号から同期信号を検出して、この同期信号の検出結果に基づき情報信号を保持手段に保持させる同期検出保持制御手段を有し、出力制御手段は、複数の受信手段で同期信号が検出されたのち、複数の受信手段に保持されている情報信号を同期させて読み出すものとし、複数の受信手段の通信品質検出結果に基づき通信品質が良好な受信手段を選択して、この選択した受信手段から読み出した情報信号を出力させるものである。
【００１２】
また、この発明に係る受信方法は、情報信号を分割して同期信号を付加することにより伝送単位とされた信号に基づく無線信号を複数の受信手段で受信する受信方法において、受信した無線信号の通信品質を検出する通信品質検出工程と、受信した無線信号から同期信号を検出して、この同期信号の検出結果に基づき情報信号を保持させる同期検出保持制御工程と、複数の受信手段で同期信号が検出されたのち、複数の受信手段に保持されている情報信号を同期させて読み出すものとし、複数の受信手段の通信品質検出結果に基づき通信品質が良好な受信手段を選択して、この選択した受信手段から読み出した情報信号を出力する出力制御工程を有するものである。
【００１３】
この発明においては、情報信号を分割して同期信号を付加することにより伝送単位とされた信号に基づく無線信号が送信装置から送信される。また、受信装置には、無線信号を受信する受信手段が複数設けられる。この受信手段で受信した無線信号から同期信号が検出されて、同期信号の検出結果に基づき、少なくとも複数の受信手段で受信される無線信号の通信経路の違いによる時間差分の情報信号や、さらに通信品質の検出に要する時間分の情報信号が保持手段に保持される。保持された情報信号は、各受信手段で同期信号が検出されたのち同期して読み出されて、例えば無線信号の受信信号強度や誤り率から通信品質が良好と判別された受信手段で得られた情報信号が選択されて出力される。また、通信品質検出結果に基づいて選択される受信手段の切り替えが行われたとき、受信手段の切り換えを行った伝送単位の期間中は、切り換え前の受信手段の選択が禁止される。
【００１４】
また、情報信号と情報信号を受信したときの通信品質検出結果が対として保持手段に保持されるときは、この保持されている通信品質検出結果を同期して読み出して良好な受信手段の選択が行われて、この選択された受信手段から読み出した通信品質検出結果と対とされている情報信号が出力される。あるいは、同期信号の検出結果に基づき無線信号の通信経路の違いによる時間差が判別されて、この判別結果に基づき通信品質検出結果を同期されて、通信品質の良好な受信手段の判別が行われる。また、通信品質検出手段での通信品質の検出に要する時間分だけ、保持手段に保持される情報信号と、同期信号の検出に用いる信号が遅延される。
【発明の効果】
【００１５】
この発明によれば、情報信号を分割して同期信号を付加することにより伝送単位とされた信号に基づく無線信号が送信されて、この無線信号が複数の受信手段で受信される。この受信された無線信号から同期信号が検出されて、検出された同期信号を基準として情報信号を保持手段に保持させる処理が行われる。この保持された情報信号は、各受信手段で同期信号が検出されたのち同期して読み出される。また、複数の受信手段の通信品質検出結果に基づき通信品質が良好な受信手段が選択されて、この選択された受信手段から読み出した情報信号が出力される。このため、何れかの通信経路で無線信号が遮蔽されても情報信号を出力できるだけでなく、複数の受信手段で無線通信の経路差が生じても正しく情報信号を出力できる。
【００１６】
また、少なくとも複数の受信手段で受信される無線信号の通信経路の違いによる時間差分の情報信号が順次保持されるので、無線通信の経路差による情報信号の遅延を確実に吸収できる。さらに、通信品質の検出に要する時間分の情報信号が保持されるので、通信品質の検出に要する時間が長くなっても、通信品質の良好な受信手段で得られた情報信号を選択して出力できる。
【００１７】
また、保持されている情報信号の読み出しは、複数の受信手段で同期信号が検出されたのち、通信品質の検出に要する時間が経過した後に開始される。このため、複数の受信手段に保持されている情報信号を確実に同期させて読み出すことができるだけでなく、通信品質の良好な受信手段で得られた情報信号を正しく選択して出力できる。
【００１８】
また、通信品質検出結果に基づいて選択される受信手段が切り換えられたとき、受信手段の切り換えを行った伝送単位の期間中は、切り換え前の受信手段の選択が禁止される。このため、通信品質が良好な状態に戻ったとき、情報信号が同期信号と同期していないような場合が生じても、この情報信号が選択されてしまうことがなく、不必要な切り換えを防止して、同期信号に同期している情報信号のみを出力できる。
【００１９】
また、情報信号と、この情報信号を受信したときの通信品質検出結果が対として保持されて、複数の受信手段から同期して読み出された通信品質検出結果に基づいて通信品質の良好な受信手段が選択される。この選択された受信手段から、通信品質検出結果と対とされている情報信号が読み出されて出力される。このため、情報信号の選択を通信品質検出結果に基づいて正しく行うことができる。
【００２０】
また、複数の受信手段における同期信号の検出結果に基づき、複数の受信手段で受信される無線信号の通信経路の違いによる時間差が判別されて、この判別結果に基づき、複数の受信手段の通信品質検出結果が同期される。このため、通信品質検出結果を保持させなくとも、情報信号の選択を通信品質検出結果に基づいて正しく行うことができる。
【００２１】
また、通信品質の検出に要する時間分だけ、保持手段に保持される情報信号と、同期信号の検出に用いる信号が遅延される。このため、通信品質検出結果と情報信号等のタイミングが等しくなり、通信品質検出結果に基づいた情報信号の選択を容易に行うことができる。
【発明を実施するための最良の形態】
【００２２】
以下、図を参照しながら、この発明の形態について説明する。図１は、パスダイバーシチ方式を用いた無線通信システムの第１の構成を示している。この第１の構成は、送信装置のアンテナのビーム幅が広い場合に用いられる。例えば、送信部１０に接続されたアンテナ２１から出力された無線信号を、受信装置の受信部３０ａ(３１ａ)に接続されたアンテナ２２ａと、受信部３０ｂ(３１ｂ)に接続されたアンテナ２２ｂで受信する。出力制御部４０(４１，４２)は、無線信号を受信したときの受信部３０ａにおける通信品質と無線信号を受信したときの受信部３０ｂにおける通信品質を比較して、いずれの通信品質が良好であるか判別して、通信品質が良好と判別された受信部で得られた情報信号を出力させる。この第１の構成は、無線信号を出力する送信部を受信部の数だけ設ける必要がないことから、無線通信システムを安価に構成できる。
【００２３】
また、図２は、パスダイバーシチ方式を用いた無線通信システムの第２の構成を示している。この第２の構成は、送信装置のアンテナのビーム幅が狭い場合に用いられる。例えば、送信部１０ａ，１０ｂを設けて、送信部１０ａに接続されたアンテナ２１ａから出力された無線信号を、受信装置の受信部３０ａ(３１ａ)に接続されたアンテナ２２ａで受信する。また、送信部１０ｂに接続されたアンテナ２１ｂから出力された無線信号を、受信部３０ｂ(３１ｂ)に接続されたアンテナ２２ｂで受信する。ここで、２つの通信経路が妨害しあうことがないように、ビーム幅が十分狭く無い場合にはアンテナ２１ａ，２１ｂから出力される無線信号は、異なる周波数や偏波を用いるものとする。また、アンテナ２１ａ，２１ｂのビーム幅を十分狭くしたり、アンテナ２１ａ，２２ａに対してアンテナ２１ｂ，２２ｂを離れた位置に接地する。出力制御部４０(４１，４２)は、無線信号を受信したときの受信部３０ａ(３１ａ)における通信品質と無線信号を受信したときの受信部３０ｂ(３１ｂ)における通信品質を比較して、いずれの通信品質が良好であるか判別して、通信品質が良好と判別された受信部で得られた情報信号を出力させる。この第２の構成は、送信部と受信部を対として設けることから、ビーム幅を狭くして電波の直進性が強い周波数帯を用いることにより、小さい送信電力で、高い伝送速度の無線通信を行う場合に有効である。
【００２４】
図３は、送信部から無線信号として送信される信号を示している。この信号は、情報信号を分割して例えば受信部の物理層で検出可能な同期信号を付加することにより伝送単位毎の信号とされている。
【００２５】
図４は、受信装置の構成を示している。受信部３０ａに接続されたアンテナ２２ａで無線信号を受信して得られた受信信号ＲＦaは、ＲＦ処理部３０１ａに供給される。ＲＦ処理部３０１ａは、受信信号ＲＦaを増幅したのちダウンコンバートを行いベースバンド信号Ｓaとして復調部３０２ａに供給する。また、ＲＦ処理部３０１ａは、通信品質検出手段としても動作するものであり、通信品質検出結果を示す通信品質情報ＱＬaを生成して出力制御部４０の選択処理部４０１に供給する。例えば、ＲＦ処理部３０１ａは受信信号強度を検出して、この検出結果を通信品質情報ＱＬaとして選択処理部４０１に供給する。
【００２６】
復調部３０２ａは、供給されたベースバンド信号Ｓaの復調を行い、得られた復調データＤＭaを同期検出保持制御部３０３ａとメモリ部３０４ａに供給する。
【００２７】
同期検出保持制御部３０３ａは復調データＤＭaから同期信号の検出を行い、検出結果を示す同期タイミング信号ＴＳaを生成して選択処理部４０１に供給する。また、検出した同期信号を基準として書込制御信号ＷＣaを生成してメモリ部３０４ａに供給して、復調データＤＭaに含まれている情報信号をメモリ部３０４ａに保持させる。
【００２８】
メモリ部３０４ａに保持された情報信号ＤＷaは、選択処理部４０１から供給された読出制御信号ＲＣaに基づいて読み出されて、出力制御部４０の信号選択部４０２に情報信号ＤＲaとして供給される。
【００２９】
受信部３０ｂは受信部３０ａと同様に構成されており、受信部３０ｂに接続されたアンテナ２２ｂで無線信号を受信して得られた受信信号ＲＦbは、ＲＦ処理部３０１ｂに供給される。ＲＦ処理部３０１ｂは、受信信号ＲＦbを増幅したのちダウンコンバートを行いベースバンド信号Ｓbとして復調部３０２ｂに供給する。また、ＲＦ処理部３０１ｂも通信品質検出手段としても動作するものであり、ＲＦ処理部３０１ａと同様に、受信信号強度を検出して、この検出結果を通信品質情報ＱＬaとして選択処理部４０１に供給する。
【００３０】
復調部３０２ｂは、供給されたベースバンド信号Ｓbの復調を行い、得られた復調データＤＭbを同期検出保持制御部３０３ｂとメモリ部３０４ｂに供給する。
【００３１】
同期検出保持制御部３０３ｂは復調データＤＭbから同期信号の検出を行い、検出結果を示す同期タイミング信号ＴＳbを生成して選択処理部４０１に供給する。また、検出した同期信号を基準として書込制御信号ＷＣbを生成してメモリ部３０４ｂに供給して、復調データＤＭbに含まれている情報信号をメモリ部３０４ｂに保持させる。
【００３２】
メモリ部３０４ｂに保持された情報信号ＤＷbは、選択処理部４０１から供給された読出制御信号ＲＣbに基づいて読み出されて、出力制御部４０の信号選択部４０２に情報信号ＤＲbとして供給される。
【００３３】
選択処理部４０１は、同期タイミング信号ＴＳaと同期タイミング信号ＴＳbに基づき、メモリ部３０４ａ，３０４ｂからの信号の読み出しタイミングを制御して、メモリ部３０４ａ，３０４ｂに保持された情報信号ＤＷa，ＤＷbを同期させて読み出すように、読出制御信号ＲＣを生成してメモリ部３０４ａ，３０４ｂに供給する。すなわち、受信信号ＲＦaおよび受信信号ＲＦbの同期タイミングよりも遅いタイミングで、読出制御信号ＲＣをメモリ部３０４ａ，３０４ｂに供給することで、情報信号ＤＷa，ＤＷbを同一タイミングで信号選択部４０２に供給させる。また、情報信号ＤＷa，ＤＷbを同一タイミングで信号選択部４０２に供給させるため、メモリ部３０４ａ，３０４ｂは、少なくとも受信部３０ａ，３０ｂで受信される無線信号についての通信経路の違いによる時間差分の情報信号ＤＷa，ＤＷbを順次保持する。
【００３４】
選択処理部４０１は、受信部３０ａのＲＦ処理部３０１ａから供給された通信品質情報ＱＬaと受信部３０ｂのＲＦ処理部３０１ｂから供給された通信品質情報ＱＬbに基づき、通信品質が良好な受信部を選択して、この選択された受信部から読み出した情報信号が出力されるように、選択信号ＣＳを生成して信号選択部４０２に供給する。さらに、通信品質の検出に時間を要する場合、すなわち、時間分通信品質情報ＱＬa，ＱＬbを生成して、この通信品質情報ＱＬa，ＱＬbに基づいて通信品質が良好な受信部を選択するまでに時間を要する場合、通信品質の検出に要する時間分だけ読出制御信号ＲＣを遅延させることで、通信品質が良好な受信部で得られた情報信号を選択信号ＣＳによって正しく選択できる。この場合、メモリ部３０４ａ，３０４ｂは、通信品質の検出に時間を要しても情報信号ＤＷa，ＤＷbを同一タイミングで信号選択部４０２に供給できるように、通信品質の検出に要する時間分の情報信号を更に保持する。
【００３５】
信号選択部４０２は、選択処理部４０１から供給された選択信号ＣＳに基づき、選択された受信部のメモリ部から供給された情報信号を出力信号Ｄoutとして出力する。例えば、通信品質が良好な受信部として受信部３０ａが選択されたときは、メモリ部３０４ａから供給された情報信号ＤＲaを出力信号Ｄoutとして出力させる。また、通信品質が良好な受信部として受信部３０ｂが選択されたときは、メモリ部３０４ｂから供給された情報信号ＤＲbを出力信号Ｄoutとして出力させる。
【００３６】
図５は、選択処理部４０１の動作を示すフローチャートである。ステップＳＴ１で選択処理部４０１は、同期タイミング信号ＴＳa，ＴＳbに基づき、受信部３０ａと受信部３０ｂで同期信号が検出されたか否かを判別する。ここで、同期信号が検出されていないときはステップＳＴ１に戻り、受信部３０ａと受信部３０ｂで同期信号が検出されたときにはステップＳＴ２に進む。
【００３７】
ステップＳＴ２で選択処理部４０１は、受信部３０ａから供給された通信品質情報ＱＬaと受信部３０ｂから通信品質情報ＱＬbを比較して、通信品質情報ＱＬaが通信品質情報ＱＬbよりも通信品質が良好であることを示しているか判別する。ここで、通信品質情報ＱＬaが通信品質情報ＱＬbよりも通信品質が良好であることを示しているときにはステップＳＴ３に進み、通信品質情報ＱＬaが通信品質情報ＱＬbよりも通信品質が良好であることを示していないときにはステップＳＴ９に進む。
【００３８】
ステップＳＴ３で選択処理部４０１は、メモリ部３０４ａ，３０４ｂに保持されている情報信号の読み出しを同期させて開始してステップＳＴ４に進む。ステップＳＴ４で選択処理部４０１は、通信品質が良好な受信部３０ａを選択して、このメモリ部３０４ａから供給された情報信号ＤＲaを信号選択部４０２から出力するように選択信号ＣＳを生成して信号選択部４０２に供給する。
【００３９】
ステップＳＴ５で選択処理部４０１は、通信品質情報ＱＬaが通信品質情報ＱＬbよりも通信品質が良好であることを示しているか否かを判別する。ここで、通信品質情報ＱＬaが通信品質情報ＱＬbよりも通信品質が良好であることを示しているときにはステップＳＴ６に進み、通信品質情報ＱＬaが通信品質情報ＱＬbよりも通信品質が良好であることを示していないときにはステップＳＴ７に進む。
【００４０】
ステップＳＴ６で選択処理部４０１は、１伝送単位の情報信号の読み出しが完了したか否かを判別する。ここで、読み出しが完了していないときはステップＳＴ５に戻り、読み出しが完了したときにはステップＳＴ１５に進む。
【００４１】
ステップＳＴ５で、通信品質情報ＱＬaが通信品質情報ＱＬbよりも通信品質が良好であることを示していないためステップＳＴ７に進むと、選択処理部４０１は通信品質が良好である受信部として受信部３０ｂを選択して、メモリ部３０４ｂから供給された情報信号ＤＲbを信号選択部４０２から出力するように選択信号ＣＳを生成して信号選択部４０２に供給する。
【００４２】
ステップＳＴ８で選択処理部４０１は、１伝送単位の情報信号の読み出しが完了したか否かを判別して、読み出しが完了していないときはステップＳＴ８に戻り、読み出しが完了したときにはステップＳＴ１５に進む。
【００４３】
ステップＳＴ２からステップＳＴ９に進むと、選択処理部４０１は、ステップＳＴ３と同様に、メモリ部３０４ａ，３０４ｂに保持されている情報信号の読み出しを開始してステップＳＴ１０に進む。ステップＳＴ１０で選択処理部４０１は、通信品質が良好な受信部３０ｂを選択して、メモリ部３０４ｂから供給された情報信号ＤＲbを信号選択部４０２から出力するように選択信号ＣＳを生成して信号選択部４０２に供給する。
【００４４】
ステップＳＴ１１で選択処理部４０１は、通信品質情報ＱＬaが通信品質情報ＱＬbよりも通信品質が良好であることを示しているか否かを判別して、通信品質情報ＱＬaが通信品質情報ＱＬbよりも通信品質が良好であることを示していないときにはステップＳＴ１２に進み、通信品質情報ＱＬaが通信品質情報ＱＬbよりも通信品質が良好であることを示しているときにはステップＳＴ１３に進む。
【００４５】
ステップＳＴ１２で選択処理部４０１は、１伝送単位の情報信号の読み出しが完了したか否かを判別して、読み出しが完了していないときはステップＳＴ１１に戻り、読み出しが完了したときにはステップＳＴ１５に進む。
【００４６】
ステップＳＴ１１で、通信品質情報ＱＬaが通信品質情報ＱＬbよりも通信品質が良好であることを示しているためステップＳＴ１３に進むと、選択処理部４０１は通信品質が良好である受信部として受信部３０ａを選択して、メモリ部３０４ａから供給された情報信号ＤＲaを信号選択部４０２から出力するように選択信号ＣＳを生成して信号選択部４０２に供給する。
【００４７】
ステップＳＴ１４で選択処理部４０１は、１伝送単位の情報信号の読み出しが完了したか否かを判別して、読み出しが完了していないときはステップＳＴ１４に戻り、読み出しが完了したときにはステップＳＴ１５に進む。
【００４８】
ステップＳＴ１５で選択処理部４０１は、メモリ部３０４ａ，３０４ｂからの情報信号の読み出しを終了させてステップＳＴ１６に進む。ステップＳＴ１６で選択処理部４０１は、同期タイミング信号ＴＳa，ＴＳbに基づき、受信部３０ａと受信部３０ｂで同期信号が検出されたか否かを判別する。ここで、同期信号が検出されていないときはステップＳＴ１６に戻り、受信部３０ａと受信部３０ｂで同期信号が検出されたときにはステップＳＴ２に進み、次の伝送単位の情報信号に対する読み出しを行う。
【００４９】
このように、選択処理部４０１は、通信品質が良好と判別された受信部から読み出した情報信号を信号選択部４０２から出力させる。また、選択処理部４０１は、伝送単位の途中で通信品質が悪化したとき、通信品質が良好と判別された他の受信部から読み出した情報信号を信号選択部４０２から出力させる。さらに、選択処理部４０１は、伝送単位の途中で通信品質が悪化した状態から良好な状態となっても、切り換え前の情報信号が出力されないように制御する。
【００５０】
図６は、受信装置の動作を示している。図６Ａは復調データＤＭaを示しており、同期検出保持制御部３０３ａは、復調データＤＭaの同期信号を検出して図６Ｂに示すように同期タイミング信号ＴＳaを生成する。また、同期検出保持制御部３０３ａは、復調データＤＭaの同期信号に同期した書込制御信号ＷＣaを生成してメモリ部３０４ａに供給して、情報信号をメモリ部３０４ａに保持させる。なお、図６Ｃはメモリ部３０４ａに保持された情報信号ＤＷaを示している。
【００５１】
同様に、図６Ｆは復調データＤＭbを示しており、同期検出保持制御部３０３ｂは、復調データＤＭbの同期信号を検出して図６Ｇに示すように同期タイミング信号ＴＳbを生成する。また、同期検出保持制御部３０３ｂは、復調データＤＭbの同期信号に同期した書込制御信号ＷＣbを生成してメモリ部３０４ｂに供給して、情報信号をメモリ部３０４ｂに保持させる。なお、図６Ｈはメモリ部３０４ｂに保持された情報信号ＤＷbを示している。
【００５２】
同期検出保持制御部３０３ａは、時点ｔ0で復調データＤＭaにおける同期信号の検出が完了すると、同期タイミング信号ＴＳaを生成して選択処理部４０１に供給する。また、同期信号に続く情報信号をメモリ部３０４ａに順次保持させる。同期検出保持制御部３０３ｂは、時点ｔ1で復調データＤＭbにおける同期信号の検出が完了すると、同期タイミング信号ＴＳbを生成して選択処理部４０１に供給する。また、同期信号に続く情報信号をメモリ部３０４ｂに順次保持させる。
【００５３】
選択処理部４０１は、受信部３０ａと受信部３０ｂにおいて同期信号の検出が完了した時点ｔ1で、受信部３０ａのＲＦ処理部３０１ａから供給された図６Ｅに示す通信品質情報ＱＬaと、受信部３０ｂのＲＦ処理部３０１ｂから供給された図６Ｊに示す通信品質情報ＱＬbを比較して、通信品質が良好と判別された受信部で得られた情報信号を選択するように選択信号ＣＳを生成する。また、読出制御信号ＲＣをメモリ部３０４ａ，３０４ｂに供給して、メモリ部３０４ａ，３０４ｂに保持されている情報信号の読み出しを同期させて行う。通信品質の検出に時間Ｔmを要する場合には、同期信号の検出が完了した時点ｔ1から少なくとも時間Ｔmが経過した時点ｔ2で、選択信号ＣＳの生成や情報信号の読み出しを開始する。なお、図６Ｄはメモリ部３０４ａから読み出されて信号選択部４０２に供給される情報信号ＤＲa、図６Ｉはメモリ部３０４ｂから読み出されて信号選択部４０２に供給される情報信号ＤＲbを示している。
【００５４】
ここで、例えば通信品質情報ＱＬaで示された品質レベルが「Ｑ５」で、通信品質情報ＱＬbで示された品質レベル「Ｑ４」よりも通信品質が良好であるとき、選択処理部４０１は受信部３０ａで得られた情報信号を選択するように選択信号ＣＳを生成して信号選択部４０２に供給し、図６Ｋに示すように情報信号ＤＲaを出力信号Ｄoutとして信号選択部４０２から出力させる。
【００５５】
時点ｔ3で受信部３０ａの通信品質が悪化して、通信品質の検出に要する時間Ｔmが経過した時点ｔ4で、通信品質情報ＱＬaで示された品質レベルが「Ｑ５」から「Ｑ３」に悪化すると、選択処理部４０１は、品質レベルが「Ｑ３」よりも良好な品質レベル「Ｑ４」である受信部３０ｂで得られた情報信号を選択するように選択信号ＣＳを生成して信号選択部４０２に供給し、情報信号ＤＲbを出力信号Ｄoutとして信号選択部４０２から出力させる。
【００５６】
このように、メモリ部３０４ａ，３０４ｂに保持された情報信号は、選択処理部４０１によって同期して読み出されるとともに、情報信号の読み出しは少なくとも通信品質の検出に要する時間Ｔmだけ遅延して行われる。このため、受信部３０ａにおける品質レベルが「Ｑ５」から「Ｑ３」に悪化したとき、品質レベルが悪化した状態において受信部３０ａで得た情報信号が信号選択部４０２から出力されてしまうことを防止できる。
【００５７】
その後、通信品質情報ＱＬaで示された品質レベルが、時点ｔ5で「Ｑ３」から良好な通信品質である品質レベル「Ｑ５」に戻っても、選択処理部４０１は、１伝送単位の情報信号の読み出しが完了する時点ｔ6までは、信号の切り換えを行うことなく受信部３０ｂから読み出された情報信号ＤＲbを出力信号Ｄoutとして出力させる。
【００５８】
また、受信部３０ａを選択して、受信部３０ａから読み出された情報信号ＤＲaを出力信号Ｄoutとして出力しているときに、受信部３０ｂにおける通信品質検出結果が時点ｔ7で品質レベル「Ｑ４」から「Ｑ３」に悪化しても、選択処理部４０１は品質レベルが「Ｑ５」である受信部３０ａを選択していることから、受信部３０ａから読み出された情報信号ＤＲaを引き続き出力信号Ｄoutとして出力させる。
【００５９】
このように、通信品質が良好であると判別された受信部を選択して、この選択された受信部で得られた情報信号を出力することで、一方の通信経路の無線信号が遮断されたり、通信品質が悪化しても、他方の通信経路の無線信号に基づいて出力信号を生成することができる。さらに、無線通信の経路差が生じても正しく情報信号を出力できる。
【００６０】
また、メモリ部には、無線信号の通信経路の違いによる時間差分の情報信号が順次保持されるので、無線通信の経路差による情報信号の遅延を確実に吸収できる。さらに、通信品質の検出に要する時間分の情報信号が保持されるので、通信品質の検出に要する時間が長くなっても、通信品質の良好な受信手段で得られた情報信号を出力させることができる。
【００６１】
また、情報信号の読み出しは、複数の受信手段で同期信号が検出されたのち、通信品質の検出に要する時間が経過した後に開始されるので、保持されている情報信号を確実に同期させて読み出すことができるとともに、通信品質の良好な受信手段で得られた情報信号を正しく出力させることができる。
【００６２】
また、通信品質が悪化して受信部の切り換えが行われると、この切り換えが行われた伝送単位の期間中は、通信品質が良好な状態に戻っても切り換え前の状態に戻されることがない。このため、例えば通信品質が良好な状態に戻ったときに、情報信号が同期信号に同期していないような場合が生じても、この情報信号は選択されて出力されないことから、同期信号に同期している情報信号のみを出力させることができる。
【００６３】
ところで、上述の形態の出力制御部４０で比較される通信品質情報は、無線信号の通信経路の違いによる時間差を有していることから、通信経路の違いによる時間差が大きいと、通信品質が良好な受信部で得られた情報信号を精度良く選択することが出来ないおそれが生じてしまう。そこで、通信経路の違いによる時間差に係らず通信品質が良好な受信部を精度良く選択できる受信装置を図７に示す。なお、図７において、図４と対応する部分については同一符号を付し、詳細な説明は省略する。
【００６４】
受信部３１ａのＲＦ処理部３０１ａは、受信信号ＲＦaを増幅したのちダウンコンバートを行いベースバンド信号Ｓaとして復調部３０２ａに供給する。また、通信品質情報ＱＬaとして受信信号強度を検出してメモリ部３１４ａに供給する。
【００６５】
メモリ部３１４ａは、同期検出保持制御部３０３ａから供給された書込制御信号ＷＣaに基づき、復調データＤＭaに含まれている情報信号と、この情報信号を受信したときの通信品質情報ＱＬaを対として保持する。
【００６６】
メモリ部３１４ａに保持された情報信号ＤＷaと通信品質情報ＱＬaは、選択処理部４０１から供給された読出制御信号ＲＣに基づいて読み出される。この読み出された情報信号は、出力制御部４０の信号選択部４０２に情報信号ＤＲaとして供給される。また、読み出された通信品質情報は、出力制御部４１の選択処理部４１１に通信品質情報ＱＬＲaとして供給される。
【００６７】
受信部３１ｂは受信部３１ａと同様に構成されており、ＲＦ処理部３０１ｂは、受信信号ＲＦbを増幅したのちダウンコンバートを行いベースバンド信号Ｓbとして復調部３０２ｂに供給する。また、通信品質情報ＱＬbとして受信信号強度を検出してメモリ部３１４ｂに供給する。
【００６８】
メモリ部３１４ｂは、同期検出保持制御部３０３ｂから供給された書込制御信号ＷＣbに基づき、復調データＤＭbに含まれている情報信号と、この情報信号を受信したときの通信品質情報ＱＬbを対として保持する。
【００６９】
メモリ部３１４ｂに保持された情報信号ＤＷbと通信品質情報ＱＬbは、選択処理部４０１から供給された読出制御信号ＲＣに基づいて読み出される。この読み出された情報信号は、出力制御部４０の信号選択部４０２に情報信号ＤＲbとして供給される。また、読み出された通信品質情報は、出力制御部４１の選択処理部４１１に通信品質情報ＱＬＲbとして供給される。
【００７０】
選択処理部４１１は、同期タイミング信号ＴＳaと同期タイミング信号ＴＳbに基づき、メモリ部３１４ａ，３１４ｂからの信号の読み出しタイミングを制御して、メモリ部３１４ａ，３１４ｂに保持された情報信号ＤＷa，ＤＷbと、この情報信号ＤＷa，ＤＷbと対とされている通信品質情報ＱＬa，ＱＬbを同期させて読み出すように、読出制御信号ＲＣを生成してメモリ部３１４ａ，３１４ｂに供給する。また、選択処理部４０１は、メモリ部３１４ａから読み出した通信品質情報ＱＬＲaとメモリ部３１４ｂから読み出した通信品質情報ＱＬＲbに基づき、通信品質が良好な受信部を選択して、この選択された受信部から読み出した情報信号が出力されるように、選択信号ＣＳを生成して信号選択部４０２に供給する。
【００７１】
このように、情報信号と情報信号を受信したときの通信品質情報を対としてメモリ部に保持させるものとして、メモリ部に保持されている情報信号と、この情報信号と対とされている通信品質情報を同期して読み出す。さらに、読み出した通信品質情報に基づき受信部の選択を行うものとすれば、受信部で受信される無線信号に生じた通信経路の違いによる時間差に係らず、通信品質が良好な受信部を正しく選択して、この通信品質が良好な受信部で得られた情報信号を出力させることができる。
【００７２】
ところで、情報信号と通信品質情報を対としてメモリ部に保持させるものとした場合、メモリ部に保持させる情報量が大きくなってしまう。そこで、メモリ部に保持させる情報量を増やすことなく、通信品質が良好な受信部を精度良く選択できる受信装置を図８に示す。なお、図８においても図４と対応する部分については同一符号を付し、詳細な説明は省略する。
【００７３】
受信部３０ａのＲＦ処理部３０１ａは、受信信号ＲＦaを増幅したのちダウンコンバートを行いベースバンド信号Ｓaとして復調部３０２ａに供給する。また、通信品質情報ＱＬaとして受信信号強度を検出して出力制御部４２の時間差補正処理部４２３に供給する。また、ＲＦ処理部３０１ｂは、受信信号ＲＦbを増幅したのちダウンコンバートを行いベースバンド信号Ｓbとして復調部３０２ｂに供給する。また、通信品質情報ＱＬbとして受信信号強度を検出して時間差補正処理部４２３に供給する。
【００７４】
時間差補正処理部４２３は、後述する選択処理部４２１から供給された補正制御信号ＣＴに基づき、無線信号の通信経路が短いものとされている受信部で生成された通信品質情報を通信経路の違いに応じた時間差分だけ遅延させることで、無線信号の通信経路が長いものとされている受信部で生成された通信品質情報と同期させて、選択処理部４２１に供給する。例えば、受信部３０ａの通信経路が受信部３０ｂの通信経路よりも短いものとされている場合、通信品質情報ＱＬaを通信経路の違いに応じた時間差分だけ遅延させて通信品質情報ＱＬＲaとして選択処理部４２１に供給する。また、通信品質情報ＱＬbを通信品質情報ＱＬＲbとして選択処理部４２１に供給する。このように、通信品質情報ＱＬa，ＱＬbを同期させて、通信品質情報ＱＬＲa，ＱＬＲbとして選択処理部４２１に供給する。
【００７５】
選択処理部４２１は、同期タイミング信号ＴＳaと同期タイミング信号ＴＳbに基づき、受信部３０ａと受信部３０ｂにおける無線信号の通信経路の違いによる時間差を判別して、通信品質情報ＱＬaと通信品質情報ＱＬbを同期させるために補正制御信号ＣＴを生成して時間差補正処理部４２３に供給する。また、メモリ部３０４ａ，３０４ｂからの信号の読み出しタイミングを制御して、メモリ部３０４ａ，３０４ｂに保持された情報信号ＤＷa，ＤＷbを同期させて読み出すように、読出制御信号ＲＣを生成してメモリ部３０４ａ，３０４ｂに供給する。さらに、選択処理部４０１は、時間差補正処理部４２３から供給された通信品質情報ＱＬＲaと通信品質情報ＱＬＲbに基づき、通信品質が良好な受信部を選択して、この選択された受信部から読み出した情報信号が出力されるように、選択信号ＣＳを生成して信号選択部４０２に供給する。
【００７６】
このように、時間差補正処理部４２３によって通信品質情報ＱＬＲaと通信品質情報ＱＬＲbを同期させて、この同期させた通信品質情報ＱＬＲaと通信品質情報ＱＬＲbによって受信部の選択を行うことにより、通信経路の違いによる時間差が生じても、正しく通信品質が良好な受信部を選択して、この受信部で得られた情報信号を出力させることができる。また、通信品質情報をメモリ部に保持させる必要もない。
【００７７】
さらに、上述の形態において、メモリ部や同期検出処理部に供給される復調データの供給を通信品質の検出に要する時間分だけ遅延させる遅延部を設けるものとすれば、通信品質検出結果と情報信号等のタイミングが等しくなり、通信品質検出結果に基づいた情報信号の選択を容易に行うことができる。このとき、少なくとも複数の受信部で受信される無線信号に生じた通信経路の違いによる時間差分の情報信号をメモリ部に保持させることで、通信品質が良好な受信部で得られた情報信号を選択して正しい情報信号を出力させることができる。
【００７８】
また、伝送単位にヘッダ情報を設けて他の伝送単位との識別を可能として、出力制御部では、ヘッダ情報に基づき等しい伝送単位内で情報信号の選択を行うようにすれば、通信経路の違いによる時間差が１伝送単位より長くなっても、通信品質が良好な受信部で得られた情報信号を選択して正しく出力させることができる。
【００７９】
また、通信品質検出結果を示す通信品質情報は、受信信号強度の検出結果に限られるものではない。例えば、送信部ではブロック単位の情報信号に誤り訂正符号を付加して送信し、受信部の復調部では誤り訂正処理を行い、この誤り訂正処理で検出された誤り率を通信品質情報として出力制御部に供給するものとしてもよい。なお、通信品質情報として誤り率を用いる場合、出力制御部はブロック単位で情報信号を選択して出力する。
【００８０】
さらに、上述の形態では、メモリ部３０４ａ，３０４ｂから読み出した情報信号を信号選択部４０２で選択するものとしたが、通信品質が良好と判別された受信部のメモリ部だけから情報信号を読み出して、この読み出した情報信号を出力信号Ｄoutとするものとしてもよい。この場合には、信号選択部４０２を設ける必要がなく、出力制御部の構成を簡単にできる。
【産業上の利用可能性】
【００８１】
以上のように、本発明にかかる無線通信システムと受信装置と受信方法は、通信経路が遮断されてしまうような環境で無線通信を行う場合に有用であり、高い周波数帯を用いて無線通信を行う場合に適用している。
【図面の簡単な説明】
【００８２】
【図１】無線通信システムの第１の構成を示す図である。
【図２】無線通信システムの第２の構成を示す図である。
【図３】送信信号を示す図である。
【図４】受信装置の構成を示す図である。
【図５】選択処理部の動作を示すフローチャートである。
【図６】受信装置の動作を示す図である。
【図７】受信装置の他の構成を示す図である。
【図８】受信装置の他の構成を示す図である。
【図９】従来の無線通信システムの構成を示す図である。
【図１０】従来の無線通信システムの他の構成を示す図である。
【符号の説明】
【００８３】
１０，１０ａ，１０ｂ，６５・・・送信部、２１，２１ａ，２１ｂ，２２ａ，２２ｂ・・・アンテナ、３０ａ，３０ｂ，３１ａ，３１ｂ，７０・・・受信部、４０，４１，４２・・・出力制御部、６０・・・送信信号生成部、７２・・・信号切替部、７５・・・情報信号処理部、３０１ａ，３０１ｂ・・・ＲＦ処理部、３０２ａ，３０２ｂ・・・復調部、３０３ａ，３０３ｂ・・・同期検出保持制御部、３０４ａ，３０４ｂ，３１４ａ，３１４ｂ・・・メモリ部、４０１，４１１，４２１・・・選択処理部、４０２・・・信号選択部、４２３・・・時間差補正処理部
【図１】
2005333391.tif 000003
【図２】
2005333391.tif 000004
【図３】
2005333391.tif 000005
【図４】
2005333391.tif 000006
【図５】
2005333391.tif 000007
【図６】
2005333391.tif 000008
【図７】
2005333391.tif 000009
【図８】
2005333391.tif 000010
【図９】
2005333391.tif 000011
【図１０】
2005333391.tif 000012
【手続補正書】
【提出日】平成17年8月19日(2005.8.19)
【手続補正１】
【補正対象書類名】明細書
【補正対象項目名】００２９
【補正方法】変更
【補正の内容】
【００２９】
受信部３０ｂは受信部３０ａと同様に構成されており、受信部３０ｂに接続されたアンテナ２２ｂで無線信号を受信して得られた受信信号ＲＦbは、ＲＦ処理部３０１ｂに供給される。ＲＦ処理部３０１ｂは、受信信号ＲＦbを増幅したのちダウンコンバートを行いベースバンド信号Ｓbとして復調部３０２ｂに供給する。また、ＲＦ処理部３０１ｂも通信品質検出手段としても動作するものであり、ＲＦ処理部３０１ａと同様に、受信信号強度を検出して、この検出結果を通信品質情報ＱＬbとして選択処理部４０１に供給する。
【手続補正２】
【補正対象書類名】明細書
【補正対象項目名】００６６
【補正方法】変更
【補正の内容】
【００６６】
メモリ部３１４ａに保持された情報信号ＤＷaと通信品質情報ＱＬaは、選択処理部４０１から供給された読出制御信号ＲＣに基づいて読み出される。この読み出された情報信号は、出力制御部４１の信号選択部４０２に情報信号ＤＲaとして供給される。また、読み出された通信品質情報は、出力制御部４１の選択処理部４１１に通信品質情報ＱＬＲaとして供給される。
【手続補正３】
【補正対象書類名】明細書
【補正対象項目名】００６９
【補正方法】変更
【補正の内容】
【００６９】
メモリ部３１４ｂに保持された情報信号ＤＷbと通信品質情報ＱＬbは、選択処理部４０１から供給された読出制御信号ＲＣに基づいて読み出される。この読み出された情報信号は、出力制御部４１の信号選択部４０２に情報信号ＤＲbとして供給される。また、読み出された通信品質情報は、出力制御部４１の選択処理部４１１に通信品質情報ＱＬＲbとして供給される。
【手続補正４】
【補正対象書類名】明細書
【補正対象項目名】００７０
【補正方法】変更
【補正の内容】
【００７０】
選択処理部４１１は、同期タイミング信号ＴＳaと同期タイミング信号ＴＳbに基づき、メモリ部３１４ａ，３１４ｂからの信号の読み出しタイミングを制御して、メモリ部３１４ａ，３１４ｂに保持された情報信号ＤＷa，ＤＷbと、この情報信号ＤＷa，ＤＷbと対とされている通信品質情報ＱＬa，ＱＬbを同期させて読み出すように、読出制御信号ＲＣa，ＲＣbを生成してメモリ部３１４ａ，３１４ｂに供給する。また、選択処理部４１１は、メモリ部３１４ａから読み出した通信品質情報ＱＬＲaとメモリ部３１４ｂから読み出した通信品質情報ＱＬＲbに基づき、通信品質が良好な受信部を選択して、この選択された受信部から読み出した情報信号が出力されるように、選択信号ＣＳを生成して信号選択部４０２に供給する。
【手続補正５】
【補正対象書類名】明細書
【補正対象項目名】００７５
【補正方法】変更
【補正の内容】
【００７５】
選択処理部４２１は、同期タイミング信号ＴＳaと同期タイミング信号ＴＳbに基づき、受信部３０ａと受信部３０ｂにおける無線信号の通信経路の違いによる時間差を判別して、通信品質情報ＱＬaと通信品質情報ＱＬbを同期させるために補正制御信号ＣＴを生成して時間差補正処理部４２３に供給する。また、メモリ部３０４ａ，３０４ｂからの信号の読み出しタイミングを制御して、メモリ部３０４ａ，３０４ｂに保持された情報信号ＤＷa，ＤＷbを同期させて読み出すように、読出制御信号ＲＣを生成してメモリ部３０４ａ，３０４ｂに供給する。さらに、選択処理部４２１は、時間差補正処理部４２３から供給された通信品質情報ＱＬＲaと通信品質情報ＱＬＲbに基づき、通信品質が良好な受信部を選択して、この選択された受信部から読み出した情報信号が出力されるように、選択信号ＣＳを生成して信号選択部４０２に供給する。
【手続補正６】
【補正対象書類名】図面
【補正対象項目名】図７
【補正方法】変更
【補正の内容】
【図７】
2005333391.tif 000013